(57)【要約】【課題】  日射遮蔽装置の複数の昇降コード端末とボトムレールに止着する操作コードの端末を結合するコネクターであって、意匠の多様化が可能なものを提供することである。【解決手段】  コネクターを、外筒部材と、その外筒部材に内装されるコード連結部材とから形成し、外筒部材に上下に連通する昇降コード通し孔と上方に先細るテーパー孔を形成し、コード連結部材の上面の外径をテーパー孔の上部内径よりも小さく中央部の外径をテーパー孔の上部内径よりも大きく下部内径よりも小さくし、コード連結部材の上面に昇降コードは入るがその結び玉は入らない上部半径方向溝を、下面に操作コードは入るがその結び玉は入らない下部半径方向溝を、周面に上部及び下部半径方向溝と連通し昇降コード及び操作コードの結び玉が入るスリットをそれぞれ形成する。【選択図】      図２
2006009331.tif 000002
【特許請求の範囲】
【請求項１】
日射遮蔽装置の複数の昇降コード端末とボトムレールに止着する操作コードの端末を接続するコードコネクターであって、外筒部材と、前記外筒部材に内装される円筒形のコード連結部材とからなり、前記外筒部材は、上下に連通する昇降コード通し孔と上方に先細るテーパー孔を備え、前記コード連結部材は、外径が前記テーパー孔の上部内径よりも小さく下部内径よりも大きく形成され、前記コード連結部材の上面には、前記昇降コードは入るが結び玉は入らない上部半径方向溝が、下面には、前記操作コードは入るが結び玉は入らない下部半径方向溝が、周面には、前記結び玉が入り前記上部及び下部半径方向溝と連通するスリットがそれぞれ形成されることを特徴としてなる日射遮蔽装置のコードコネクター。
【請求項２】
コード連結部材は、太鼓型円筒形であり、上面の外径がテーパー孔の上部内径よりも小さく、中央部の外径が前記テーパー孔の上部内径よりも大きく下部内径よりも小さく形成されること特徴としてなる請求項１に記載の日射遮蔽装置のコードコネクター。
【請求項３】
テーパー孔には、複数の母線に沿い延長するリブが一体に形成されることを特徴としてなる請求項１又は２に記載の日射遮蔽装置のコードコネクター。
【請求項４】
スリットは、上部と下部が細幅で中央部が広幅であることを特徴としてなる請求項１ないし３のいずれか１つに記載の日射遮蔽装置のコードコネクター。
【請求項５】
コード連結部材は、昇降コードと操作コードにより所定以上の張力が作用すると、鼓型に変形して中央部の外径が縮小することを特徴としてなる請求項１ないし４のいずれか１つに記載の日射遮蔽装置のコードコネクター。
【請求項６】
外筒部材は、木製又は樹脂製であることを特徴としてなる請求項１ないし５のいずれか１つに記載の日射遮蔽装置のコードコネクター。
【発明の詳細な説明】
【技術分野】
【０００１】
本発明は、日射遮蔽装置のヘッドボックスから引き出す複数の昇降コード端末とボトムレールに止着する操作コードの端末を接続するコードコネクターに関する。
【背景技術】
【０００２】
日射遮蔽材をヘッドボックスとボトムレールの間に展張するベネシャンブラインド、プリーツスクリーン等の日射遮蔽装置において、ヘッドボックスからコードストッパを介して引き出した複数の比較的細い昇降コードの端末と、ボトムレールに止着した比較的太い操作コードの端末を共通のコードコネクターを介して接続することは、特開２００２−３３９６７０号公報に図示されているように、周知である。
【０００３】
従来のコードコネクターは、中央にコード通し孔を備える袋ナット状の上筒部材と、中央にコード通し孔を備えるボルト状の下筒部材とをネジ結合してなる構成であり、複数の昇降コードの端末は、上筒部材のコード通し孔に、操作コードの端末は、下筒部材のコード通し孔にそれぞれ通されて結び玉を形成する。日射遮蔽装置の正面においてヘッドボックスから吊下するコードコネクターは、目立つ存在であるため、多様な意匠のコネクタを用意し、ユーザーが好みのコードコネクターを選択できるようにすることが好ましい。しかし、従来のコードコネクターは、構成上、意匠の多様化には不適当である。
【特許文献１】特開２００２−３３９６７０号公報
【発明の開示】
【発明が解決しようとする課題】
【０００４】
本発明は、この問題を解決するためになされたものであり、その課題は、日射遮蔽装置の複数の昇降コード端末とボトムレールに止着する操作コードの端末を接続するコネクターであって、意匠の多様化が可能なものを提供することである。
【課題を解決するための手段】
【０００５】
前記課題を達成するため、本発明が採用する手段は、日射遮蔽装置の複数の昇降コード端末とボトムレールに止着する操作コードの端末を接続するコードコネクターを、外筒部材と、前記外筒部材に内装される円筒形のコード連結部材とから構成し、外筒部材には、上下に連通する昇降コード通し孔と上方に先細るテーパー孔を設け、コード連結部材の外径をテーパー孔の上部内径よりも小さく下部内径よりも大きく形成し、コード連結部材の上面には、昇降コードは入るが結び玉は入らない上部半径方向溝を、下面には、操作コードは入るが結び玉は入らない下部半径方向溝を、周面には、結び玉が入り上部及び下部半径方向溝と連通するスリットをそれぞれ形成することを特徴とする。
【発明の効果】
【０００６】
上記構成により、本発明コードコネクターの意匠は、外筒部材の外面の形状、模様、色彩により決定される。外筒部材の外面は、昇降コード、操作コード、コード連結部材のいずれにも関係がないから、形状、模様、色彩は全く自由であり、多様な意匠の外筒部材を用意することができる。
【０００７】
本発明コードコネクターによる昇降コードと操作コードの接続は、至極容易である。始めに、複数の昇降コードを、外筒部材の昇降コード孔とテーパー孔に通し、ついで、その昇降コードをコード連結部材の上部半径方向溝に入れると共に、その結び玉をスリットに入れ、操作コードをコード連結部材の下部半径方向溝に入れると共に、その結び玉をスリットに入れる。最後に、昇降コードを引いてコード連結部材に外筒部材を外嵌すると、コード連結部材を介して昇降コードと操作コードは外筒部材と一体結合する。このとき、コード連結部材の外周面は外筒部材のテーパー孔にすっぽり嵌りその内周面と摩擦係合する。
【０００８】
昇降コードと操作コードの分離も容易である。始めに、操作コードを引いて、コード連結部材を外筒部材のテーパー孔から引き抜く。ついで、昇降コードと操作コードの結び玉をスリットから引き出すと、昇降コードと操作コードは上部及び下部半径方向溝から自ずから出てきて分離する。
【発明を実施するための最良の形態】
【０００９】
本発明コードコネクターの外筒部材は、多様な意匠のものを容易に製作するため、木製又は樹脂製とすることが好ましい。テーパー孔は、一様な円錐内周面としても良いが、円錐内周面の母線に沿う複数のリブをても良い。
【００１０】
コード連結部材は、板金製とし、軸方向に張力が作用しないときは、周面中央部の外径が、外筒部材テーパー面の上径よりも大きく下径よりも小さい太鼓型円筒形となり、軸方向に所定以上の張力が作用するときは、周面中央部の外径が凹む鼓型円筒形となるように形成すると、外筒部材のテーパー孔への脱着が容易となる。コード連結部材の上部及び下部半径方向溝は、同形同大で軸方向に重合するように形成し、スリットは、上部及び下部が細幅で上部及び下部半径方向溝と連通し、中央部が半周の広幅となることが好ましい。
【実施例】
【００１１】
本発明を図面に示す実施例に基づいて説明する。図１は、本発明実施例のコードコネクターを備えるプリーツスクリーンの要部斜視図、図２は、図１のコードコネクターの縦断面図、図３及び図４は、コード連結部材の側面図及び平面図、図５は、昇降コードと操作コードの接続と分離の工程を示す図、図６は、別の実施例の図２に相当する図である。
【００１２】
図１に示すように、プリーツスクリーン１のボトムレール６を昇降させる２本の昇降コード２は、一端部がヘッドボックス３の昇降コード出口４から出る。その昇降コード２の一端部の端末は、コードコネクター５に上側から挿入され、ボトムレール６に止着される操作コード７の上端部の端末は、コードコネクター５に下側から挿入される。ヘッドボックス３から垂下するコードコネクター５は、プリーツスクリーン１の正面に位置するので、プリーツスクリーン１の外観に及ぼす影響は少なくない。
【００１３】
図２に示すように、コードコネクター５は、木製の外筒部材８と、その外筒部材８に内装される板金製のコード連結部材１０とからなる。外筒部材８は、木製であるから、多様な意匠のものを容易に製作することができる。外筒部材８には上下に連通する昇降コード通し孔１１とテーパー孔１２が設けられる。昇降コード２は昇降コード通し孔１１を通り、テーパー孔１２において、上からコード連結部材１０の中に入り結び玉１３を作る。操作コード７は、テーパー孔１２において、下からコード連結部材１０の中に入り結び玉１４を作る。テーパー孔１２は、上方に先細るテーパー孔であり、上部内径は、昇降コード通し孔１１の内径よりも大きい。
【００１４】
コード連結部材１０は、太鼓型円筒形であり、上下両端の外径は、テーパー孔１２の上部内径より少し小さく、中央部の外径は、テーパー孔１２の上部内径より大きく下部内径よりも小さい。コード連結部材１０は、外筒部材８に内装されると、上面はテーパー孔１２の天井に当接し、外周面はテーパー孔１２の内周面と摩擦係合する。コード連結部材１０の周面には、上部及び下部が細幅で中央部が半周の広幅となるスリット１５が形成される。スリット１５の広幅な中央部を通じて昇降コード２と操作コード７の結び玉１３、１４を出入する。
【００１５】
図３及び図４に示すように、コード連結部材１０の上下面には、最大内径が結び玉の外径よりも小さい上部及び下部半径方向溝１６、１７が形成される。上部及び下部半径方向溝１６、１７は、スリット１５と接続し、軸方向に見ると、同形同大で重合する。昇降コードと操作コードの結び玉をスリットの中央部に出入すると、昇降コードと操作コードも、自ずから半径方向溝１６、１７に出入する。
【００１６】
図５（ａ）に示すように、予め、複数の昇降コード２を、外筒部材８の昇降コード通し孔１１とテーパー孔１２に通しておく。太鼓型円筒形のコード連結部材１０のスリット１５に昇降コード２と操作コード７の結び玉１３、１４を入れ、コード連結部材１０を介して昇降コード２と操作コード７を連結する。  ついで、昇降コード２を矢印Ａ方向に引いて外筒部材８をコード連結部材１０に外嵌し、コード連結部材１０の上面をテーパー孔１２の天井に当接させると、図２に示すように、コード連結部材１０の外周面とテーパー孔１２の内周面が摩擦係合し、外筒部材８とコード連結部材１０は一体結合する。このように、コードコネクター５を介して昇降コード２と操作コード７を接続する作業は至極容易である。
【００１７】
図５（ｂ）の矢印Ｂで示すように、コードコネクター５を介して接続する昇降コード２と操作コード７を緊張させてコード連結部材１０に所定値以上の張力を作用すると、コード連結部材１０の外周面は鼓型円筒形に変形し、テーパー孔１２の内周面との摩擦係合を解消する。そこで、昇降コード２を弛めると、操作コード７により、コード連結部材１０は外筒部材８から引き抜かれ、図５（ａ）に示す状態となり。昇降コード２と操作コード７はコード連結部材１０から外すことができる。このように、コードコネクター５を介して昇降コード２と操作コード７の接続を解除する作業も簡単である。
【００１８】
図６に示す別の実施例のコードコネクター５ａは樹脂製の外筒部材８ａからなる。外筒部材８ａは、樹脂製であるから、多様な意匠のものを容易に製作することができる。外筒部材８ａには上下に連通する昇降コード通し孔１１ａとテーパー孔１２ａが設けられる。テーパー孔１２ａの内周面には、その母線に沿って延長する複数のリブ９が設けられる。
【００１９】
コード連結部材１０は、前記実施例のものと全く同じである。コード連結部材１０の上下両端の外径は、テーパー孔１２ａのリブ９を含む上部内径より少し小さく、中央の最大外径は、テーパー孔１２ａのリブ９を含む上部内径より大きく下部内径よりも小さい。コード連結部材１０は、外筒部材８ａに内装されると、上面はテーパー孔１２ａの天井に当接し、テーパー孔１２ａのリブ９を含む内周面と摩擦係合する。上記以外の構成及び効果は、前記実施例と同じである。
【図面の簡単な説明】
【００２０】
【図１】本発明実施例のコードコネクターを備えるプリーツスクリーンの要部斜視図、
【図２】図１のコードコネクターの縦断面図、
【図３】コード連結部材の側面図、
【図４】コード連結部材の平面図、
【図５】昇降コードと操作コードの接続と分離の工程を示す図、
【図６】別の実施例の図２に相当する図、
【符号の説明】
【００２１】
１：プリーツスクリーン
２：昇降コード
３：ヘッドボックス
４：昇降コード出口
５：コードコネクター
６：ボトムレール
７：操作コード
８、８ａ：外筒部材
９：リブ
１０：コード連結部材
１１：昇降コード通し孔
１２：テーパー孔
１３、１４：結び玉
１５：スリット
１６、１７：半径方向溝
【図１】
2006009331.tif 000003
【図２】
2006009331.tif 000004
【図３】
2006009331.tif 000005
【図４】
2006009331.tif 000006
【図５】
2006009331.tif 000007
【図６】
2006009331.tif 000008